(57)【要約】  【課題】本発明は、アンテナ装置、装置、電子部品及び電子機器に関する。【解決手段】本発明の一実施例によるアンテナ装置は、支持部、上記支持部の一の面に配置される少なくとも１つの第１突出部を有するコア部材、及び上記コア部材に巻線されるコイル部を含み、上記コア部材は上記一の面とは反対側の他の面に配置される第２突出部をさらに含み、上記第２突出部は実装面としての端面を有することができる。【選択図】図１
2015208005.tif 000002
【特許請求の範囲】
【請求項１】
支持部、及び前記支持部の一の面に配置される第１突出部を有するコア部材と、
前記コア部材に巻線されるコイル部と、を含み、
前記コア部材は前記一の面とは反対側の他の面に配置される第２突出部をさらに含み、前記第２突出部は実装面としての端面を有する、アンテナ装置。
【請求項２】
前記コア部材は、前記第２突出部の前記実装面に配置されるパッド部を介して第１基板に実装される、請求項１に記載のアンテナ装置。
【請求項３】
前記第１及び第２突出部は、前記コア部材が「Ｈ」の形状を有するように前記支持部に配置される、請求項１または２に記載のアンテナ装置。
【請求項４】
前記第１突出部は前記一の面に対して傾斜した端面を有する、請求項１から３の何れか１項に記載のアンテナ装置。
【請求項５】
前記第１突出部は磁束が出入りする端面を有する、請求項１から４の何れか１項に記載のアンテナ装置。
【請求項６】
前記第１突出部が前記支持部から突出する長さは、前記第２突出部が前記支持部から突出する長さと互いに異なる、請求項１から５の何れか１項に記載のアンテナ装置。
【請求項７】
前記コイル部は前記支持部に巻線される、請求項１から６の何れか１項に記載のアンテナ装置。
【請求項８】
前記コイル部は前記第１突出部のそれぞれに巻線される、請求項１から７の何れか１項に記載のアンテナ装置。
【請求項９】
前記コア部材と結合される第２基板をさらに含み、前記第１突出部に巻線される前記コイル部は前記第２基板のキャビティに位置する、請求項８に記載のアンテナ装置。
【請求項１０】
磁束の出入りによる電磁誘導によってデータを送受信する装置において、
前記磁束が出入りする端面と、第１基板に実装される実装面とを含むコア部材と、
前記コア部材に巻線されるコイル部と、を含む、装置。
【請求項１１】
前記コア部材は、前記実装面に配置されるパッド部を介して前記第１基板に実装される、請求項１０に記載の装置。
【請求項１２】
前記コア部材は、前記端面において出射する磁束の方向に対して前記磁束が入射する方向が成す角度が１８０°である、請求項１０または１１に記載の装置。
【請求項１３】
前記コア部材は、
前記端面を有する第１突出部と、
前記実装面を有する第２突出部と、
前記第１突出部が第１面に配置され、前記第２突出部が前記第１面とは反対側の第２面に配置される支持部を含む、請求項１０から１２の何れか１項に記載の装置。
【請求項１４】
前記コイル部は、前記支持部及び前記第１突出部に巻線される、請求項１３に記載の装置。
【請求項１５】
磁束の出入りによる電磁誘導によってデータを送受信する装置において、
前記磁束が出入りする第１端面及び前記第１端面とは反対側の第１実装面を有する第１コア部、前記磁束が出入りする第２端面及び前記第２端面とは反対側の第２実装面を有する第２コア部、及び前記第１及び第２コア部の間に配置される第３コア部を含むコア部材と、
前記コア部材に巻線されるコイル部と、
前記第１実装面及び第２実装面に配置される第１及び第２パッド部と、を含む、装置。
【請求項１６】
前記コア部材は前記第１及び前記第２パッド部を介して第１基板に実装される、請求項１５に記載の装置。
【請求項１７】
前記第１及び第２端面のうち少なくとも一つは前記第３コア部に対して傾斜を有する、請求項１５または１６に記載の装置。
【請求項１８】
前記第１及び第２端面のそれぞれの面積が前記第１及び第２実装面の面積より小さい、請求項１５から１７の何れか１項に記載の装置。
【請求項１９】
前記第１及び第２端面をつなぐ第１仮想線から前記第３コア部までの距離をａとし、前記第１及び第２実装面をつなぐ第２仮想線から前記第３コア部までの距離をｂとすると、ａはｂより大きい、請求項１５から１８の何れか１項に記載の装置。
【請求項２０】
前記コア部材は、
前記第１コア部の表面に配置される第１延長形成部と、
前記第２コア部の表面に配置される第２延長形成部と、をさらに含み、
前記第１及び第２延長形成部は前記第３コア部に対して互いに反対方向に配置される、請求項１５から１９の何れか１項に記載の装置。
【請求項２１】
前記コア部材は「Π」の形態である、請求項１５から２０の何れか１項に記載の装置。
【請求項２２】
前記コイル部は前記第１及び第２コア部に巻線される、請求項１５から２１の何れか１項に記載の装置。
【請求項２３】
キャビティを有し、前記コア部材と結合される第２基板をさらに含み、前記コイル部は前記第２基板のキャビティに位置する、請求項２２に記載の装置。
【請求項２４】
前記コイル部は前記第３コア部に巻線される、請求項１５から２３の何れか１項に記載の装置。
【請求項２５】
前記コイル部は前記第１及び第２コア部、及び第３コア部のそれぞれに巻線される、請求項１５から２４の何れか１項に記載の装置。
【請求項２６】
第１基板と、
第１及び第２パッド部を介して前記第１基板に配置されて回路部と連結されるアンテナ装置と、を含み、
前記アンテナ装置は、前記第１パッド部が配置される第１実装面を有する第１コア部、前記第２パッド部が配置される第２実装面を有する第２コア部、及び前記第１コア部と前記第２コア部の間に配置される第３コア部を含むコア部材と、前記コア部材に巻線されるコイル部と、を含む、電子部品。
【請求項２７】
前記第１コア部は前記第１実装面とは反対側の第１端面をさらに含み、前記第２コア部は前記第２実装面とは反対側の第２端面をさらに含み、
前記第１及び第２端面を通じて磁束が出入りし、前記コイル部は前記磁束の出入りによる電磁誘導によってデータを送受信する、請求項２６に記載の電子部品。
【請求項２８】
前記第１及び第２端面をつなぐ第１仮想線から前記第３コア部までの距離をａとし、前記第１及び第２実装面をつなぐ第２仮想線から前記第３コア部までの距離をｂとすると、ａはｂより大きい、請求項２７に記載の電子部品。
【請求項２９】
前記第１及び第２端面の一つは前記第３コア部に対して傾斜を有する、請求項２７または２８に記載の電子部品。
【請求項３０】
前記第１及び第２端面のそれぞれの面積が前記第１及び第２実装面の面積より小さい、請求項２７から２９の何れか１項に記載の電子部品。
【請求項３１】
前記コイル部は、前記第１及び第２コア部のそれぞれに巻線される、請求項２６から３０の何れか１項に記載の電子部品。
【請求項３２】
キャビティを有し、前記コア部材と結合される第２基板をさらに含み、
前記コイル部は前記第２基板の前記キャビティに位置する、請求項３１に記載の電子部品。
【請求項３３】
前記コイル部は前記第３コア部に巻線される、請求項２６から３２の何れか１項に記載の電子部品。
【請求項３４】
前記コア部材は、
前記第１コア部の表面に配置される第１延長形成部と、
前記第２コア部の表面に配置される第２延長形成部と、をさらに含み、
前記第１及び第２延長形成部は前記第３コア部に対して互いに反対方向に配置される、請求項２６に記載の電子部品。
【請求項３５】
電子機器用のカバーと、
前記電子機器と前記カバーとの間に配置されるアンテナ装置と、
前記アンテナ装置と連結される回路部を有する第１基板と、を含み、
前記アンテナ装置は、支持部、前記支持部の一の面に配置される第１突出部、及び前記一の面とは反対側の他の面に配置される第２突出部を有するコア部材と、前記コア部材に巻線されるコイル部と、を含み、
前記第２突出部は実装面としての端面を有し、
前記アンテナ装置は、前記実装面に配置されるパッド部を介して前記第１基板に実装される、電子機器。
【請求項３６】
前記回路部は、前記アンテナ装置と電気的に接続されるＮＦＣチップを含む、請求項３５に記載の電子機器。
【請求項３７】
前記コイル部は前記第１突出部に巻線される、請求項３５または３６に記載の電子機器。
【請求項３８】
前記アンテナ装置は前記コア部材と結合される第２基板をさらに含み、前記コイル部は前記第２基板のキャビティに位置する、請求項３７に記載の電子機器。
【請求項３９】
前記アンテナ装置は、前記支持部に巻線されるコイル部をさらに含む、請求項３５から３８の何れか１項に記載の電子機器。
【請求項４０】
前記第１突出部は磁束が出入りする端面を有する、請求項３５から３９の何れか１項に記載の電子機器。
【請求項４１】
支持部、前記支持部の上側の端面に配置される第１突出部、及び前記支持部の下側の端面に配置される第２突出部を有するコア部材と、
前記支持部に巻線されるコイル部と、を含む、アンテナ装置。
【請求項４２】
前記支持部に巻線された前記コイル部は前記第１突出部と、前記第２突出部との間にわたる、請求項４１に記載のアンテナ装置。
【請求項４３】
前記第１突出部の厚さは、前記第２突出部の厚さよりも大きい、請求項４１または４２に記載のアンテナ装置。
【請求項４４】
前記第１突出部は、前記支持部の長さ方向に対する傾斜面を有する、請求項４１から４３の何れか１項に記載のアンテナ装置。
【発明の詳細な説明】
【技術分野】
【０００１】
本発明は、アンテナ装置、装置、電子部品及び電子機器に関する。
【背景技術】
【０００２】
移動通信分野の持続的な発展に伴い、多様な情報コンテンツ（ｃｏｎｔｅｎｔｓ）またはリアルタイムの映像の提供などを必要とするユーザーの数が増加するようになった。
【０００３】
これにより、超高速データ及び大容量情報の伝送のための開発が持続的に行われており、特に大容量情報のデータ伝送が可能なアンテナの開発が行われている。
【０００４】
一方、スマートフォン（ｓｍａｒｔ  ｐｈｏｎｅ）、ＰＭＰ、ナビゲーション（ｎａｖｉｇａｔｉｏｎ）などのような携帯用端末に近距離無線通信（Ｎｅａｒ  Ｆｉｅｌｄ  Ｃｏｍｍｕｎｉｃａｔｉｏｎ、ＮＦＣ）の技術が使用されることにより、携帯用端末間のデータ交換、各種の公演の予約及び個人認証などのサービスの利用が可能になっている。このとき、ＮＦＣとは、約１３．５６ＭＨｚの周波数帯域を用いる非接触式の近距離無線通信を意味し、上記周波数帯域の無線信号を用いるためには、別のアンテナを備えなければならない。
【０００５】
従来のＮＦＣアンテナは、ループ（ｌｏｏｐ）パターンを用いるのが一般的であり、平面形態で形成されて携帯用端末のバッテリー（ｂａｔｔｅｒｙ）の内部またはカバー（ｃｏｖｅｒ）に実装されていた。
【０００６】
しかし、従来のループ形態のＮＦＣアンテナは、アンテナの放射効率性を高めるためにループの長さを十分に長く形成してきたが、これとともに、ＮＦＣアンテナの面積も大きくなる。従って、バッテリーの内部またはカバーにアンテナが実装される際に空間的に十分ではない場合がある。
【先行技術文献】
【特許文献】
【０００７】
【特許文献１】韓国公開特許第２０１４−００２５１４３号公報
【発明の概要】
【発明が解決しようとする課題】
【０００８】
本発明の目的は、基板への実装ができるようにチップ形態で構成することにより、小型化することができるアンテナ装置、装置、電子部品及び電子機器を提供することにある。
【課題を解決するための手段】
【０００９】
本発明の１つの側面において、アンテナ装置は、支持部、及び支持部の一の面に配置される少なくとも１つの第１突出部を有するコア部材と、コア部材に巻線されるコイル部と、を含み、コア部材は一の面とは反対側の他の面に配置される第２突出部をさらに含み、第２突出部は実装面としての端面を有する。
【００１０】
他の側面において、コア部材は、第２突出部の実装面に配置されるパッド部を介して第１基板に実装される。
【００１１】
他の側面において、第１及び第２突出部は、コア部材が「Ｈ」の形状を有するように支持部に配置される。
【００１２】
他の側面において、第１突出部の一つは一の面に対して傾斜した端面を有する。
【００１３】
他の側面において、第１突出部は磁束が出入りする端面を有する。
【００１４】
他の側面において、第１突出部の一つが支持部から突出する長さは、第２突出部の一つが支持部から突出する長さと互いに異なる。
【００１５】
他の側面において、コイル部は支持部に巻線される。
【００１６】
他の側面において、コイル部は第１突出部のそれぞれに巻線される。
【００１７】
他の側面において、コア部材と結合される第２基板をさらに含み、第１突出部に巻線されるコイル部は第２基板のキャビティに位置する。
【００１８】
他の側面において、磁束の出入りによる電磁誘導によってデータを送受信する装置は、磁束が出入りする少なくとも１つの端面と、第１基板に実装される実装面とを含むコア部材と、コア部材に巻線されるコイル部と、を含む。
【００１９】
他の側面において、コア部材は、実装面に配置されるパッド部を介して第１基板に実装される。
【００２０】
他の側面において、コア部材は、端面の一つにおいて出射する磁束の方向に対して磁束が入射する方向が成す角度が１８０°である。
【００２１】
他の側面において、コア部材は、端面を有する第１突出部と、実装面を有する第２突出部と、第１突出部が第１面に配置され、第２突出部が第１面とは反対側の第２面に配置される支持部を含む。
【００２２】
他の側面において、コイル部は、支持部及び第１突出部の一つに巻線される。
【００２３】
他の側面において、磁束の出入りによる電磁誘導によってデータを送受信する装置は、磁束が出入りする第１端面及び第１端面とは反対側の第１実装面を有する第１コア部、磁束が出入りする第２端面及び第２端面とは反対側の第２実装面を有する第２コア部、及び第１及び第２コア部の間に配置される第３コア部を含むコア部材と、コア部材に巻線されるコイル部と、第１実装面及び第２実装面に配置される第１及び第２パッド部と、を含む。
【００２４】
他の側面において、コア部材は第１及び第２パッド部を介して第１基板に実装される。
【００２５】
他の側面において、第１及び第２端面の一つは第３コア部に対して傾斜を有する。
【００２６】
他の側面において、第１及び第２端面のそれぞれの面積が第１及び第２実装面の面積より小さい。
【００２７】
他の側面において、第１及び第２端面をつなぐ第１仮想線から第３コア部までの距離をａとし、第１及び第２実装面をつなぐ第２仮想線から第３コア部までの距離をｂとすると、ａはｂより大きい。
【００２８】
他の側面において、コア部材は、第１コア部の表面に配置される第１延長形成部と、第２コア部の表面に配置される第２延長形成部と、をさらに含み、第１及び第２延長形成部は第３コア部に対して互いに反対方向に配置される。
【００２９】
他の側面において、コア部材は「Π」の形態である。
【００３０】
他の側面において、コイル部は第１及び第２コア部に巻線される。
【００３１】
他の側面において、キャビティを有し、コア部材と結合される第２基板をさらに含み、コイル部は第２基板のキャビティに位置する。
【００３２】
他の側面において、コイル部は第３コア部に巻線される。
【００３３】
他の側面において、コイル部は第１及び第２コア部、及び第３コア部のそれぞれに巻線される。
【００３４】
他の側面において、電子部品は、第１基板と、第１及び第２パッド部を介して第１基板に配置されて回路部と連結されるアンテナ装置と、を含み、アンテナ装置は、第１パッド部が配置される第１実装面を有する第１コア部、第２パッド部が配置される第２実装面を有する第２コア部、及び第１コア部と第２コア部の間に配置される第３コア部を含むコア部材と、コア部材に巻線されるコイル部と、を含む。
【００３５】
他の側面において、第１コア部は第１実装面とは反対側の第１端面をさらに含み、第２コア部は第２実装面とは反対側の第２端面をさらに含み、第１及び第２端面を通じて磁束が出入りし、コイル部は磁束の出入りによる電磁誘導によってデータを送受信する。
【００３６】
他の側面において、第１及び第２端面をつなぐ第１仮想線から第３コア部までの距離をａとし、第１及び第２実装面をつなぐ第２仮想線から第３コア部までの距離をｂとすると、ａはｂより大きい。
【００３７】
他の側面において、第１及び第２端面の一つは第３コア部に対して傾斜を有する。
【００３８】
他の側面において、第１及び第２端面のそれぞれの面積が第１及び第２実装面の面積より小さい。
【００３９】
他の側面において、コイル部は、第１及び第２コア部のそれぞれに巻線される。
【００４０】
他の側面において、キャビティを有し、コア部材と結合される第２基板をさらに含み、コイル部は第２基板のキャビティに位置する。
【００４１】
他の側面において、コイル部は第３コア部に巻線される。
【００４２】
他の側面において、コア部材は、第１コア部の表面に配置される第１延長形成部と、第２コア部の表面に配置される第２延長形成部と、をさらに含み、第１及び第２延長形成部は第３コア部に対して互いに反対方向に配置される。
【００４３】
他の側面において、電子機器は、電子機器用のカバーと、電子機器とカバーとの間に配置されるアンテナ装置と、アンテナ装置と連結される回路部を有する第１基板と、を含み、アンテナ装置は、支持部、支持部の一の面に配置される少なくとも１つの第１突出部、及び一の面とは反対側の他の面に配置される第２突出部を有するコア部材と、コア部材に巻線されるコイル部と、を含み、第２突出部は実装面としての端面を有し、アンテナ装置は、実装面に配置されるパッド部を介して第１基板に実装される。
【００４４】
他の側面において、回路部は、アンテナ装置と電気的に接続されるＮＦＣチップを含む。
【００４５】
他の側面において、コイル部は第１突出部に巻線される。
【００４６】
他の側面において、アンテナ装置はコア部材と結合される第２基板をさらに含み、コイル部は第２基板のキャビティに位置する。
【００４７】
他の側面において、アンテナ装置は、支持部に巻線されるコイル部をさらに含む。
【００４８】
他の側面において、第１突出部は磁束が出入りする端面を有する。
【００４９】
他の側面において、アンテナ装置は、支持部、支持部の上側の端面に配置される少なくとも１つの第１突出部、及び支持部の下側の端面に配置される第２突出部を有するコア部材と、支持部に巻線されるコイル部と、を含む。
【００５０】
他の側面において、支持部に巻線されたコイル部は第１突出部と、第２突出部との間にわたる。
【００５１】
他の側面において、第１突出部の厚さは、第２突出部の厚さよりも大きい。
【００５２】
第１突出部の一つは、支持部の長さ方向に対する傾斜面を有する。
他の特徴及び側面は後述の記載、図面及び特許請求の範囲から理解されるであろう。
【発明の効果】
【００５３】
本発明の一実施例によるアンテナ装置、装置、電子部品及び電子機器は、アンテナ装置をチップ形態で構成することにより、上記アンテナ装置を基板に実装する場合に占める面積を減らすことができる。
【００５４】
また、コア部材の下部に渦電流を除去するために形成されるフェライトシートを必要としない。
【００５５】
なお、別の基板実装構造物がなくても、パッドを介して基板に直接実装することができるため、全体的に小型化することができ、基板への実装がより簡便になることができる。
【図面の簡単な説明】
【００５６】
【図１】本発明の一実施例によるアンテナ装置の斜視図である。
【図２】図１に示されたアンテナ装置を他の角度から示す斜視図である。
【図３ａ】本発明の一実施例によるアンテナ装置が第１基板に実装された状態を示す図面である。
【図３ｂ】本発明の一実施例によるアンテナ装置が第１基板に実装された状態を示す図面である。
【図４ａ】図３ａに示された第１基板に実装されたアンテナ装置に第１モールディング部が追加された状態を示す図面である。
【図４ｂ】図３ａに示された第１基板に実装されたアンテナ装置に第２モールディング部が追加された状態を示す図面である。
【図５】本発明の一実施例によるアンテナ装置における各構成の長さ及び高さを説明するための図面である。
【図６ａ】本発明の一実施例によるアンテナ装置においてコイル部が巻線される位置の他の実施例を示す図面である。
【図６ｂ】本発明の一実施例によるアンテナ装置においてコイル部が巻線される位置の他の実施例を示す図面である。
【図７ａ】図１に示されたアンテナ装置の構成のうち複数の第１突出部の実施例を示す図面である。
【図７ｂ】図１に示されたアンテナ装置の構成のうち複数の第１突出部の実施例を示す図面である。
【図７ｃ】図１に示されたアンテナ装置の構成のうち複数の第１突出部の実施例を示す図面である。
【図８ａ】本発明の一実施例によるアンテナ装置において複数の第１突出部にコイル部が巻線される場合を分解して示す図面である。
【図８ｂ】図８ａとは異なる実施例によるアンテナ装置において複数の第１突出部にコイル部が巻線される場合を示す図面である。
【図９】本発明の一実施例によるアンテナ装置における磁束の方向を示す図面である。
【図１０ａ】本発明の他の実施例によるアンテナ装置の斜視図である。
【図１０ｂ】本発明の他の実施例によるアンテナ装置の斜視図である。
【図１１】本発明の他の実施例によるアンテナ装置における第１及び第２仮想線を示す図面である。
【図１２ａ】本発明の他の実施例によるアンテナ装置及びこれを有する電子部品を示す図面である。
【図１２ｂ】本発明の他の実施例によるアンテナ装置及びこれを有する電子部品を示す図面である。
【図１２ｃ】本発明の他の実施例によるアンテナ装置及びこれを有する電子部品を示す図面である。
【図１２ｄ】本発明の他の実施例によるアンテナ装置及びこれを有する電子部品を示す図面である。
【図１３ａ】本発明の一実施例によるアンテナ装置におけるコイル部の巻線位置による磁束の方向を示す図面である。
【図１３ｂ】本発明の一実施例によるアンテナ装置におけるコイル部の巻線位置による磁束の方向を示す図面である。
【図１４】本発明のさらに他の実施例による電子機器の分解斜視図である。
【発明を実施するための形態】
【００５７】
以下の詳細な説明は、ここで説明される方法、装置及び／またはシステムを十分な理解を助けるために提供される。しかしながら、ここで説明される方法、装置及び／またはシステムの様々な変更、修正及び等価物は当業者にとって明らかであろう。説明される処理ステップ及び／または動作の連続は例であり、従って、或る順序で出現することが必要な段階及び／または動作の例外を除いては、シーケンス及び／または動作は、ここでの説明に限定されず、当該技術分野で知られるように変更され得る。また、当業者にとって周知の機能及び構造の説明は、明瞭さ及び簡潔さを高める目的で省略され得る。
【００５８】
ここで説明される特徴は様々な形態に埋め込まれることができ、ここで説明される例に限定されるとは解釈されない。ここで説明される例は、本開示が完全で、当業者に開示の全範囲を伝えることができるように提供される。
図面における要素の形状及び大きさなどはより明確な説明のために誇張されることがある。図面及び詳細な説明を通して、別途記載または規定されない限り、同じ符号は同じ要素、機能、及び構造を指す。図面は縮尺を変更するものではないかもしれず、図中の要素の相対的なサイズ、比率、及び描写は、明瞭さ、説明、及び簡便性のために誇張されるかもしれない。
【００５９】
また、アンテナ装置及びこれを有する電子部品を説明するにあたり、特にＮＦＣアンテナ装置を例に挙げて説明するが、これに制限されない。
【００６０】
図１は本発明の一実施例によるアンテナ装置の斜視図である。
【００６１】
図１を参照すると、アンテナ装置は、コア部材１００、及び上記コア部材１００に巻線されるコイル部２００ａ，２００ｂを含む。しかしながら、これはコア部材１００に巻線されたコイル部２００ａ，２００ｂの単なる例であり、従って、これに限定されない。例えば、コイル部２００ａ，２００ｂは単線に限定されず、より線、または１より多いワイヤで形成されてよい。同様に、図１はコア部材１００の支持部１１０の表面のほぼ全体に巻線されたコイル部２００ａを示しているが、そのように巻くことには限定されず、従って、巻き付けは支持部１００の表面をより多く、またはより少なくカバーすることができる。
【００６２】
コイル部２００ａ，２００ｂは、上記コア部材１００の支持部１１０及び上記複数の第１突出部１２０のうち少なくとも一つに巻線される（説明の便宜上、支持部１１０に巻線されるコイル部を２００ａ（図１参照）、複数の第１突出部１２０に巻線されるコイル部を２００ｂ（図６ａ参照）として説明する。）。
【００６３】
コア部材１００は、支持部１１０、複数の第１突出部１２０、及び複数の第２突出部１３０を含む。
【００６４】
図３ａに示すように、支持部１１０は、アンテナ装置が第１基板４００に実装されて小型化が図られるように、その端面が多角形または円形である。しかしながら、支持部１１０はこの形状に限定されず、従って、第１基板４００上にアンテナ装置を実装するのに適した他の任意の形状を有してよい。さらに、図３ａでは第２突出部１３０ａ、１３０ｂと、後述する第１パッド部３１０及び第２パッド部３２０は支持部１１０から分離した構造的要素であるが、代替的な実施形態では、第２突出部１３０ａ、１３０ｂと、第１及び第２パッド部３１０、３２０は支持部１１０の一体的な部分であってよい。図１を参照すると、支持部１１０は六面体形状または円柱形状であることができる。このとき、本発明の一実施例によるコア部材１００を明確に説明するために六面体の方向を定義すると、図１に示されたＬ、Ｗ及びＴはそれぞれ長さ方向、幅方向及び厚さ方向を示す。
【００６５】
複数の第１突出部１２０は、支持部１１０の一の面に配置される。複数の第２突出部１３０は、上記支持部１１０の一の面とは反対側の他の面に配置される。
【００６６】
以下、複数の第１突出部１２０が配置される面を支持部１１０の一の面または第１面と定義し、複数の第２突出部１３０が配置される面を上記一の面すなわち第１面とは反対側の他の面または第２面と定義する。
【００６７】
例えば、複数の第１突出部１２０は二つの第１突出部１２０ａ、１２０ｂであり、上記二つの第１突出部１２０ａ、１２０ｂはそれぞれ支持部１１０の長さ方向の両先端において支持部１１０の一の面に配置される。
【００６８】
但し、複数の第１突出部１２０は、上述の位置に限定されず、磁束の出入りを可能にする限り多様な位置に形成されることができる。一方、支持部１１０の長さ方向とは、支持部１１０の端のうち間隔が最も大きい端が成す方向を意味する。
【００６９】
複数の第２突出部１３０は二つの第２突出部１３０ａ、１３０ｂを含み、上記二つの第２突出部１３０ａ、１３０ｂはそれぞれ支持部１１０の長さ方向の両先端において上記一の面とは反対側の他の面に配置されることができる。
【００７０】
但し、複数の第２突出部１３０は、上述の位置に限定されず、コア部材１００が第１及び第２パッド部３１０、３２０（図３ａ参照）を介して第１基板４００（図３ａ参照）に実装されることができるように実装面を有する場合であれば特に位置は限定されない。複数の第２突出部１３０が複数の実装面を有することについては、図２を参照して後述する。
【００７１】
一例として、上記複数の第１突出部１２０及び複数の第２突出部１３０は互いに支持部１１０の一の面及び上記一の面とは反対側の他の面に配置されて、互いに反対方向に突出する。これにより、複数の第１突出部１２０及び複数の第２突出部１３０は支持部１１０と同一線上である。
【００７２】
また、複数の第１突出部１２０及び複数の第２突出部１３０は、全体的に柱形状であることができるが（図１参照）、これに制限されない。
【００７３】
例えば、アンテナ装置の構成のうち複数の第１及び第２突出部１２０、１３０はそれぞれ二つの突出部を有することを説明した場合であっても、これは説明の便宜のためのものであるだけで、複数の第１及び第２突出部１２０、１３０の個数が二つに制限されるものではない。
【００７４】
図１を参照すると、複数の第１突出部１２０は、それぞれその端面が四角形形状のように示されているが、これに制限されない。
【００７５】
また、複数の第２突出部１３０も、それぞれ図１の端面が四角形形状であるように示されているが、これに制限されない。なお、上記複数の第１突出部１２０及び複数の第２突出部１３０はそれぞれの形状が互いに異なってもよい。
【００７６】
二つの第１突出部１２０ａ、１２０ｂは、それぞれ磁束（ｍａｇｎｅｔｉｃ  ｆｌｕｘ）が出入りする二つの端面１２１ａ、１２１ｂを含むことができる。例えば、第１突出部１２０ａの端面１２１ａから磁束が出射する場合であれば、第１突出部１２０ｂの端面１２１ｂから磁束が入射する。これと反対に、第１突出部１２０ａの端面１２１ａから磁束が入射する場合であれば、第１突出部１２０ｂの端面１２１ｂから磁束が出射する。しかしながら、磁束の出入りはこれに限定されず、例えば、磁束は支持部１１０の他の複数の領域で出入りしてよい。
【００７７】
コア部材１００は、低周波数帯域のＮＦＣ信号を送受信するために、所定の誘電率及び透磁率を有するフェライトなどの磁性体を含む材料などをセラミックなどの複合材と混合して、焼結、モールディングなどの方法を通じて形成される。
【００７８】
本発明の一実施例によるアンテナ装置の構成のうちコア部材１００は「Ｈ」形状であることができる。しかしながら、コア部材１００の形状はこれに限定されず、従って、コア部材１００は他の形状または形態を有してよい。例えば、コア部材１００は「Ｕ」形状を有してよい。
【００７９】
より詳細には、二つの第１突出部１２０ａ、１２０ｂは、それぞれ支持部１１０の長さ方向の先端に配置される。また、第２突出部１３０ａ、１３０ｂは、それぞれ二つの第１突出部１２０ａ、１２０ｂに対向するように、支持部１１０に配置される。
【００８０】
また、第１突出部１２０ａ、１２０ｂのそれぞれの体積は、第２突出部１３０ａ、１３０ｂのそれぞれの体積より大きい。これにより、本発明の一実施例によるアンテナ装置は、磁束の出入りに関連する第１突出部１２０ａ、１２０ｂの体積をより大きく形成することにより、磁束の出入りの効率を増大させることができ、信頼性を向上させる。しかしながら、第１突出部１２０ａ、１２０ｂと、第２突出部１３０ａ、１３０ｂの体積の関係はこれに限定されない。第１突出部１２０ａ、１２０ｂと、第２突出部１３０ａ、１３０ｂは同じ体積を有してもよい。
【００８１】
一方、二つの第２突出部１３０ａ、１３０ｂの実装面１３１ａ、１３１ｂの面積を十分に広く形成することにより、コア部材１００が第１基板４００（図３ａ）に実装される場合に固着強度を向上させる。
【００８２】
コイル部２００ａは、支持部１１０に巻線されて、コア部材１００を出入りする磁束を形成する。
【００８３】
より詳細には、二つの第１突出部１２０ａ、１２０ｂを通じて磁束が入射または出射するように、コイル部２００ａは上記支持部１１０に同一の方向に巻線される。
【００８４】
即ち、ＮＦＣを用いる外部装置と本発明によるアンテナ装置を相対するように位置させると、両装置の間に磁路（ｍａｇｎｅｔｉｃ  ｐａｔｈ）が形成され、これにより、電磁誘導を通じてデータが送受信される。
【００８５】
図１を参照すると、コイル部２００ａは、ＮＦＣを行うために１３．５６ＭＨｚ帯域の信号を送受信することができるように、支持部１１０に巻線される。コイル部２００ａは、第１基板（４００、図３ａ参照）のＮＦＣチップ（ＮＦＣ  Ｃｈｉｐ、図示せず）を含む回路部と電気的に連結される。
【００８６】
即ち、コイル部２００ａは、二つの第１突出部１２０ａ、１２０ｂのそれぞれの端面１２１ａ、１２１ｂにおいて磁束の出入りによって形成される電磁誘導により、データを外部の電子機器と送受信することができるように、支持部１１０に巻線される。このとき、外部の電子機器は同一の周波数帯域の信号を送受信することができるアンテナを含む。
【００８７】
より詳細には、コイル部２００ａは、複数の第２突出部１３０の実装面１３１ａ、１３１ｂに付着されるパッド部３１０、３２０（図３ａ参照）を介してＮＦＣチップを含む回路部と電気的に連結される。
【００８８】
また、銅（Ｃｕ）または銀（Ａｇ）などから形成され、ポリウレタン樹脂やポリエステル樹脂などからなる絶縁被覆を適用することでコートされた金属線の外周がコイル部２００ａとして使用される。さらに、コイル部２００ａは、単線に限定されず、連続線または２つ以上の線からなることもできる。
【００８９】
コイル部２００ａは、図１に示されているように、支持部１１０の周りを円形に覆うように巻線されるが、これに制限されず、支持部１００の端面の形態（例えば、四角形）と同一に巻線されることもできる。
【００９０】
また、コイル部２００ａの金属線は、円形の端面形状を有することに限定されず、多角形の端面形状を有することもできる。
【００９１】
図２は図１に示されたアンテナ装置を他の角度から示す斜視図である。
【００９２】
図２を参照すると、複数の第２突出部１３０は、例えば、二つの第２突出部１３０ａ、１３０ｂを含み、二つの第２突出部１３０ａ、１３０ｂはそれぞれ第１基板４００（図４ａ参照）にコア部材１００を実装するための実装面として提供される端面１３１ａ、１３１ｂを含む。
【００９３】
コア部材１００は、二つの第２突出部１３０ａ、１３０ｂのそれぞれに含まれる端面１３１ａ、１３１ｂに第１及び第２パッド部３１０、３２０（図３ａ参照）が付着されて、第１基板４００（図３ａ参照）に実装される。一例として、二つの第２突出部１３０ａ、１３０ｂが配置される支持部１１０の他の面の側は第１基板４００（図３ａ参照）が位置する側であることができる。
【００９４】
このとき、本発明の一実施例によるアンテナ装置は、支持部１１０の他の面の全部が基板に実装される実装面になるのではなく、第１基板４００（図３ａ参照）に実装されるための実装面１３１ａ、１３１ｂを有する複数の第２突出部１３０を別に含むことができる。
【００９５】
これにより、支持部１１０は、第１及び第２パッド部３１０、３２０（図３ａ参照）の高さと複数の第２突出部１３０の高さの和だけ第１基板４００（図３ａ参照）から離れる。その結果、コイル部２００ａが支持部１１０に巻線される場合、巻線のための十分な空間が確保され、より容易にコイル部２００ａが巻線される。
【００９６】
また、コイル部２００ａの巻線のための十分な空間が確保され、第１基板４００（図３ａ参照）への直接の実装が達成されるため、従来の技術とは異なって、第１基板４００（図３ａ参照）への実装のための別の設備または構造物を必要としない。
【００９７】
これについては、図３ａ及び図３ｂを参照して後述する。
【００９８】
図３ａ及び図３ｂは本発明の一実施例によるアンテナ装置が第１基板に実装された状態を示す図面である。
【００９９】
図３ａ及び図３ｂを参照すると、二つの第１突出部１２０ａ、１２０ｂは、それぞれ磁束が出入りする端面１２１ａ、１２１ｂを有することにより磁路を形成する。また、二つの第２突出部１３０ａ、１３０ｂは、実装面として提供される端面１３１ａ、１３１ｂを有することにより、第１及び第２パッド部３１０、３２０を介して第１基板４００への表面実装技術（ＳＭＴ、Ｓｕｒｆａｃｅ  Ｍｏｕｎｔ  Ｔｅｃｈｎｏｌｏｇｙ）が可能になる。
【０１００】
また、コア部材１００は、一例として「Ｈ」形態に形成されることにより、磁束の共通経路を提供して渦電流（ｅｄｄｙ  ｃｕｒｒｅｎｔ）の損失を最小化する。
【０１０１】
より詳細に説明すると、図３ａ及び図３ｂを参照するとき、本発明の一実施例によるアンテナ装置は、二つの第２突出部１３０ａ、１３０ｂの実装面１３１ａ、１３１ｂ（図２参照）に付着される第１及び第２パッド部３１０、３２０を介して第１基板４００に実装される。
【０１０２】
第１基板４００は、スマートフォン（ｓｍａｒｔ  ｐｈｏｎｅ）のような携帯用端末の内部に実装される基板であり、上記第１基板４００にはＮＦＣチップ（図示せず）を有する回路部が配置される。また、第１基板４００には複数の能動素子や受動素子、集積回路（ＩＣ）などが含まれる。しかしながら、これは第１基板４００に含まれる要素の単なる例示であり、第１基板４００には、より多い、またはより少ない要素が含まれても良い。第１基板４００の一例としては印刷回路基板（ＰＣＢ）が提供されるが、これに限定されない。
【０１０３】
本発明の一実施例によるアンテナ装置は、第１基板４００の一の面に実装される。
【０１０４】
上記第１及び第２パッド部３１０、３２０は、第１基板４００への表面実装技術（ＳＭＴ、Ｓｕｒｆａｃｅ  Ｍｏｕｎｔ  Ｔｅｃｈｎｏｌｏｇｙ）が可能になるように互いに離れて位置することができる。
【０１０５】
このとき、本発明によるアンテナ装置は、第１及び第２パッド部３１０、３２０が第１基板４００上に接触するように位置した状態で半田付けによって電気的に連結される。アンテナ装置が第１基板４００に対し半田付けによって電気的に連結されることが説明されたが、そのような方法には限定されず、接着または溶接のような他の任意の連結方法が使用されうる。
【０１０６】
図４ａは図３ａに示された第１基板に実装されたアンテナ装置に第１モールディング部が追加された状態を示す図面である。
【０１０７】
まず、図４ａを参照すると、第１基板４００に実装されたアンテナ装置を有する電子部品は、二つの第１突出部１２０ａ、１２０ｂの間に配置される第１モールディング部４１０をさらに含む。
【０１０８】
第１モールディング部４１０は、二つの第１突出部１２０ａ、１２０ｂの端面が外部に露出されるように上記二つの第１突出部１２０ａ、１２０ｂの間に配置される。
【０１０９】
第１モールディング部４１０の一実施例としては、エポキシモールディングコンパウンド（ＥＭＣ、Ｅｐｏｘｙ  Ｍｏｌｄｉｎｇ  Ｃｏｍｐｏｕｎｄ）が用いられる。しかしながら、モールディングコンパウンドはこれに限定されず、任意の他のモールディングコンパウンドが使用され得る。
【０１１０】
図４ａには二つの第１突出部１２０ａ、１２０ｂの端面と上記第１モールディング部４１０が同一面を成すように示されているが、これに限定されない。
【０１１１】
図４ｂは図３ａに示された第１基板に実装されたアンテナ装置に第２モールディング部が追加された状態を示す図面である。
【０１１２】
図４ｂを参照すると、第２モールディング部４２０は、支持部１１０、二つの第１突出部１２０ａ、１２０ｂ、及び二つの第２突出部１３０ａ、１３０ｂを覆うように形成される。
【０１１３】
特に、上記第２モールディング部４２０は、支持部１１０の長さ方向の両側面を覆うとともに、二つの第１突出部１２０ａ、１２０ｂの端面１２１ａ、１２１ｂを覆うように形成される。第２モールディング部４２０は、アンテナ装置を覆うように形成されることにより、外部から異物などの侵入を防ぐカバー（ｃｏｖｅｒ）の役割を担うことができる。
【０１１４】
さらに、本発明の一実施例によるアンテナ装置は、上記第１モールディング部４１０または上記第２モールディング部４２０が形成されてチップ形態の構造を有することにより、小型化される。
【０１１５】
図５は本発明の一実施例によるアンテナ装置における各構成の長さ及び高さを説明するための図面である。
【０１１６】
図５を参照すると、アンテナ装置のサイズは、８．０×１．３×４ｍｍである。
【０１１７】
より詳細に説明すると、二つの第１突出部１２０ａ、１２０ｂのそれぞれの長さ方向の長さｔ１、ｔ３は１．５ｍｍであることができる。さらに、支持部１１０の長さ方向の長さｔ１＋ｔ２＋ｔ３は８ｍｍであるため、支持部１１０のうち一部のｔ２の長さは５ｍｍである。
【０１１８】
第１突出部１２０ａ、１２０ｂの高さｔ４は０．５ｍｍであることができ、支持部１１０の高さｔ５も０．５ｍｍであることができる。一方、第２突出部１３０ａ、１３０ｂの高さｔ６は０．２ｍｍであり、第１及び第２パッド部３１０、３２０の高さｔ７は０．１ｍｍであることができる。但し、複数の第１突出部１２０が磁束の出入りを形成することができ、また、複数の第２突出部１３０が第１基板４００（図３ａ参照）に実装されるための実装面を含む限り、上述の数値に限定されない。これと同様に、支持部１１０、及び第１及び第２パッド部３１０、３２０の場合も上述の数値に限定されない。
【０１１９】
これにより、従来のループ（ｌｏｏｐ）形態のＮＦＣアンテナのサイズである４０×３０×０．３ｍｍに比べて占める面積が画期的に減少することは評価され得る。したがって、本発明によるアンテナ装置は、チップ形態の構造を有することにより、小型化することができる。
【０１２０】
図６ａ及び図６ｂは本発明の一実施例によるアンテナ装置においてコイル部が巻線される位置の他の実施例を示す図面である。
【０１２１】
図６ａを参照すると、コイル部２００ｂは、複数の第１突出部１２０に巻線される。
【０１２２】
より詳細には、複数の第１突出部１２０が二つの第１突出部１２０ａ、１２０ｂであるとき、コイル部２００ｂは、二つの第１突出部１２０ａ、１２０ｂのそれぞれの周りに巻線される。このとき、二つの第１突出部１２０ａ、１２０ｂに巻線されるコイルの巻線方向は全部同一である。
【０１２３】
コイル部２００ｂは、二つの第１突出部１２０ａ、１２０ｂのそれぞれに巻線されるコイルを互いに連結させる連結コイル２１０を含む。また、コイル部２００ｂは、二つの第２突出部１３０ａ、１３０ｂの実装面１３１ａ、１３１ｂに付着される第１及び第２パッド部３１０、３２０（図３ａ参照）と連結される。
【０１２４】
二つの第１突出部１２０ａ、１２０ｂのそれぞれに巻線されるコイル部２００ｂのコイルの数は、１３．５６ＭＨｚ帯域の信号を送受信することができるように、アンテナ装置の共振周波数に応じて決定される。一方、コイル部２００ｂの材質または形状は、上述の支持部１１０に巻線されるコイル部２００ａと同一であるため説明を省略する。
【０１２５】
図６ｂを参照すると、アンテナ装置は、コイル部２００ａ，２００ｂが複数の第１突出部１２０及び支持部１１０のそれぞれに巻線される。
【０１２６】
このとき、支持部１１０に巻線されるコイル部２００ａ及び複数の第１突出部１２０に巻線されるコイル部２００ｂは、二つの第２突出部１３０ａ、１３０ｂの実装面１３１ａ、１３１ｂに付着される第１及び第２パッド部３１０、３２０（図３ａ参照）とそれぞれ連結される。
【０１２７】
コイル部２００ａ、２００ｂの材質または形状は上述の通りであるため、これに関する説明を省略する。
【０１２８】
図７ａから図７ｃは図１に示されたアンテナ装置の構成のうち複数の第１突出部の実施例を示した図面である。
【０１２９】
図７ａ及び図７ｂを参照すると、アンテナ装置の二つの第１突出部１２０ａ、１２０ｂはそれぞれの端面１２１ａ、１２１ｂに支持部１１０の一の面に対する傾斜を有することができるが、それらの形状はこれに限定されず、他の形状を有してもよい。
【０１３０】
このとき、二つの端面１２１ａ、１２１ｂのそれぞれが有する傾斜面の角度は互いに同一でない。また、二つの端面１２１ａ、１２１ｂのそれぞれの傾斜面は外側に向いて互いに反対方向に形成され（図７ａ参照）、または内側に向いて相対する方向に形成される（図７ｂ参照）。しかし、二つの端面１２１ａ、１２１ｂの向きはこれに限定されない。
【０１３１】
さらに、図７ｃを参照すると、二つの第１突出部１２０ａ、１２０ｂの端面１２１ａ、１２１ｂのうち一つ１２１ａに傾斜が形成されるが、これに限定されない。
【０１３２】
即ち、図７ａから図７ｃを参照すると、二つの端面１２１ａ、１２１ｂが有する傾斜面の方向または傾斜角度が異なる。また、二つの端面１２１ａ、１２１ｂから出入りする磁束の方向及び上記磁束が成す磁路の形態が異なる。
【０１３３】
コア部材１００の実施例は、図面に示された形態に制限されず、コイル部２００ａが十分にコア部材１００に巻線されることができる程度の幅、高さまたはサイズに形成されることができる。
【０１３４】
例えば、コア部材１００の構成のうち二つの第１突出部１２０ａ、１２０ｂの間の距離と二つの第２突出部１３０ａ、１３０ｂの間の距離が、図面に示されているように必ず同一である必要はなく、互いに異なる値を有するように構成されることもできる。
【０１３５】
また、二つの第１突出部１２０ａ、１２０ｂのそれぞれの体積が二つの第２突出部１３０ａ、１３０ｂのそれぞれの体積より大きくてもよい。これにより、アンテナ装置は、磁束の出入りと関連する第１突出部１２０ａ、１２０ｂの体積をより大きく形成することにより、磁束の出入りの効率を増大させ、信頼性を向上させる。
【０１３６】
一方、二つの第２突出部１３０ａ、１３０ｂの実装面１３１ａ、１３１ｂの面積を広く形成する。これにより、コア部材１００が第１基板４００（図３ａ）に実装される場合に固着強度を向上させる。
【０１３７】
即ち、アンテナ装置において、コア部材１００は、磁束が出入りする複数の第１突出部１２０の端面が外部に向かっており、第１基板４００（図３ａ参照）に実装されるための実装面を有する複数の第２突出部１３０を含む形態の構造を有するものであれば図１から図９に示されたものに限定されない。
【０１３８】
図８ａは本発明の一実施例によるアンテナ装置において複数の第１突出部１２０にコイル部が巻線される場合の分解図である。
【０１３９】
図８ａを参照すると、本発明の一実施例によるアンテナ装置は、コイル部２００ｂが複数の第１突出部１２０に巻線される。
【０１４０】
より詳細には、複数の第１突出部１２０が二つの第１突出部１２０ａ、１２０ｂであるとき、コイル部２００ｂは二つの第１突出部１２０ａ、１２０ｂのそれぞれの周りに巻線される。
【０１４１】
本発明の一実施例によるアンテナ装置は、キャビティを有する第２基板２２０をさらに含む。コイル部２００ｂは、上記第２基板２２０のキャビティに位置することができる。
【０１４２】
Ａ−Ａ'線に沿った面を参照するとき、上記第２基板２２０のキャビティを覆うようにコイル部２００ｂが形成され、上記キャビティに二つの第１突出部１２０ａ、１２０ｂが位置することにより、コイル部２００ｂが位置する第２基板２２０とコア部材１００が結合される。
【０１４３】
第２基板２２０のキャビティの形状及びサイズは、コア部材１００の複数の第１突出部１２０の形状、個数及び高さに応じて決定される。例えば、複数の第１突出部１２０が二つの第１突出部１２０ａ、１２０ｂである場合、キャビティはこれに対応するように形成される。
【０１４４】
また、第２基板２２０は、コア部材１００と結合されてチップ（ｃｈｉｐ）の形態になるように四角形の端面及び長方形の形態を有することができる。例えば、第２基板２２０の長さ方向及び幅方向の長さは、支持部１１０の長さ及び幅と同一であることができ、基板２２０の高さは二つの第１突出部１２０ａ、１２０ｂが十分にキャビティに位置することができるように形成されることができる。
【０１４５】
コイル部２００ｂは、二つの第１突出部１２０ａ、１２０ｂに巻線されるコイルを互いに連結させる連結コイル２１０を含む。上記連結コイル２１０も第２基板２２０のキャビティに形成される。
【０１４６】
第２基板２２０なしで、コイルを二つの第１突出部１２０ａ、１２０ｂに巻線した後、二つの第１突出部１２０ａ、１２０ｂの間を連結コイル２１０を介して連結させた場合は、連結コイル２１０が折れたり緩んだりする可能性がある。
【０１４７】
これに対し、第２基板２２０のキャビティに連結コイル２１０を含むコイル部２００ｂを位置させることにより、連結コイル２１０が折れたり緩んだりすることを防止する。
【０１４８】
図８ｂは図８ａとは異なる実施例によるアンテナ装置において複数の第１突出部にコイル部が巻線される場合を示す図面である。
【０１４９】
図８ｂを参照すると、図８ａとは異なり、二つの第１突出部１２０ａ、１２０ｂに直接に巻線されるコイル部２００ｂ自体が第２基板２２０のキャビティに位置する。
【０１５０】
即ち、第２基板２２０の内部にコイル部２００ｂが形成される場合（図８ａ）ではなく、コイル部２００ｂが巻線された二つの第１突出部１２０ａ、１２０ｂ自体が第２基板２２０の内部のキャビティに位置する。
【０１５１】
この場合、図８ａを参照して説明したものとは異なり、第２基板２２０のキャビティのサイズは、コイル部２００ｂがキャビティの内部に位置するように、図８ａに示された第２基板２２０のキャビティのサイズより大きい。
【０１５２】
図９は本発明の一実施例によるアンテナ装置における磁束の方向を示す図面である。
【０１５３】
図９を参照すると、アンテナ装置は、磁束が出射する方向に対して磁束が入射する方向が成す角度が１８０°である磁路を形成する。
【０１５４】
より詳細に説明すると、二つの第１突出部１２０ａ、１２０ｂのうち第１突出部１２０ａの端面１２１ａから磁束が出射する場合であれば、第１突出部１２０ｂの端面１２１ｂに磁束が入射する。
【０１５５】
これと反対に、第１突出部１２０ｂの端面１２１ｂから磁束が出射する場合であれば、第１突出部１２０ａの端面１２１ａに磁束が入射する。
【０１５６】
これにより、ＮＦＣを用いる外部装置とアンテナ装置を相対するように配置することにより磁路が形成され、両方向通信を用いてデータが送受信される。
【０１５７】
図１０ａ及び図１０ｂは本発明の他の実施例によるアンテナ装置の斜視図である。
【０１５８】
図１０ａ及び図１０ｂを参照すると、本発明の他の実施例によるアンテナ装置は、コア部材５００、及び上記コア部材５００に巻線されるコイル部６００ａを含む。
【０１５９】
コア部材５００は、第１コア部５１０ａ、第２コア部５１０ｂ、及び第３コア部５１０ｃを含む。
【０１６０】
第１コア部５１０ａは、磁束が出入りする第１端面５１１ａ、及び上記第１端面５１１ａとは反対側の第１実装面５１２ａを有する。第２コア部５１０ｂは、磁束が出入りする第２端面５１１ｂ、及び上記第２端面５１１ｂとは反対側の第２実装面５１２ｂを有する。
【０１６１】
第１及び第２コア部５１０ａ、５１０ｂの第１及び第２端面５１１ａ、５１１ｂは、アンテナ装置が基板に実装されて小型化を図ることができるように、それぞれが多角形または円形の形状を有する。
【０１６２】
また、第１及び第２コア部５１０ａ、５１０ｂは、全体的に柱形状であることができるが、これに制限されない。
【０１６３】
第３コア部５１０ｃは、上記第１及び第２コア部５１０ａ、５１０ｂの間に配置される。より詳細には、第１及び第２コア部５１０ａ、５１０ｂは、第３コア部５１０ｃの長さ方向の両先端において第３コア部１１０と直交するように配置される。
【０１６４】
したがって、第１コア部５１０ａ及び第２コア部５１０ｂは、互いに第３コア部５１０ｃの長さ方向の両側面に配置される。
【０１６５】
コイル部は、第３コア部５１０ｃに巻線され（６００ａ、図１０ａ）、及び／または第１及び第２コア部５１１ａ、５１１ｂのそれぞれに巻線される（６００ｂ、図１０ｂ）。
【０１６６】
まず、図１０ａを参照すると、コイル部６００ａは、第３コア部５１０ｃに巻線され、ＮＦＣを行うために、１３．５６ＭＨｚ帯域の信号を送受信する。コイル部６００ａは、第１及び第２コア部５１０ａ、５１０ｂのそれぞれの端面５１１ａ、５１１ｂにおいて磁束の出入りによって形成される電磁誘導により、データを外部の電子機器と送受信する。
【０１６７】
このとき、外部の電子機器は、同一の周波数帯域信号を送受信することができるアンテナを含む。
【０１６８】
また、コイル部６００ａは、図１０ａに示されているように、第３コア部５１０ｃの周りに円形に巻線されるが、これに制限されない。
【０１６９】
さらに、コイル部６００ａは、巻線されて第３コア部５１０ｃの端面と同一の形状を有する。例えば、第３コア部５１０ｃの端面が四角形の形状を有する場合には、コイル部６００ａは四角形の形状に巻線される。さらに、コイル部６００ａは第３コア部５１０ｃの周りに、傾斜を有するように巻線されてもよい（図示せず）。
【０１７０】
次に、図１０ｂを参照すると、本発明の一実施例によるアンテナ装置は、第１及び第２コア部５１０ａ、５１０ｂにそれぞれ巻線されたコイル部６００ｂを有する。より詳細には、コイル部６００ｂは、第１及び第２端面５１１ａ、５１１ｂに沿って巻線される。
【０１７１】
また、コイル部６００ｂが第１及び第２コア部５１０ａ、５１０ｂのそれぞれに巻線される回数は、１３．５６ＭＨｚの帯域の信号を送受信することができるように、本発明によるアンテナ装置の共振周波数に応じて決定される。
【０１７２】
一方、図１０ｂに示されてはいないが、本発明の他の実施例によるアンテナ装置はキャビティを有する第２基板２２０（図８ａ参照）をさらに含み、コイル部６００ｂは上記第２基板２２０（図８ａ参照）のキャビティに位置する。
【０１７３】
これにより、第２基板２２０（図８ａ参照）のキャビティに連結コイル６１０を含むコイル部６００ｂを位置させることにより、連結コイル６１０が折れたり緩んだりすることが防止される。
【０１７４】
また、本発明によるアンテナ装置は、コア部材５００と第２基板２２０（図８ａ参照）が互いに結合されてチップ形態の構造を有することにより、小型化することができる。
【０１７５】
このとき、コイル部６００ａ、６００ｂの材質または形態については上述の通りであるため省略する。
【０１７６】
図１１は本発明の他の実施例によるアンテナ装置における第１及び第２仮想線を示す図面である。
【０１７７】
図１１を参照すると、第１仮想線は第１及び第２端面５１１ａ、５１１ｂをつなぐ直線形態の線である。第２仮想線は第１及び第２実装面５１２ａ、５１２ｂをつなぐ直線形態の線である。
【０１７８】
このとき、第１仮想線から第３コア部５１０ｃまでの距離をａとし、第２仮想線から第３コア部５１０ｃまでの距離をｂとすると、ａはｂより大きい。
【０１７９】
より詳細には、ａがｂより大きい値を有するように第１及び第２コア部５１０ａ、５１０ｂの間に第３コア部５１０ｃが配置されることにより、第１及び第２端面５１１ａ、５１１ｂを通じて出入りする磁束の強さが増大する。
【０１８０】
図１２ａから図１２ｄは本発明の他の実施例によるアンテナ装置及びこれを有する電子部品を示す図面である。
【０１８１】
図１２ａから図１２ｄを参照すると、コア部材５００は、第１コア部５１０ａに配置される第１延長形成部５１３ａ、及び第２コア部５１０ｂに配置される第２延長形成部５１３ｂをさらに含む。
【０１８２】
より詳細には、第１延長形成部５１３ａは、第３コア部５１０ｃから第１コア部５１０ａへの方向において上記第１コア部５１０ａの表面に配置される。第２延長形成部５１３ｂは、第３コア部５１０ｃから第２コア部５１０ｂへの方向において上記第２コア部５１０ｂの表面に配置される。
【０１８３】
即ち、上記第１及び第２延長形成部５１３ａ、５１３ｂは、第３コア部５１０ｃを基準に互いに反対方向に配置される。また、コア部材５００は、一実施例としてパイ（Π）を逆さまにした形態を有することができる。
【０１８４】
第１及び第２延長形成部５１３ａ、５１３ｂは、図１２ａから図１２ｄに示されているものに限定されず、多様な形態の形状、端面及びサイズを有することができる。
【０１８５】
また、第１及び第２延長形成部５１３ａ、５１３ｂは、それぞれの形態が同一である必要はなく、第１及び第２実装面５１２ａ、５１２ｂからの距離が必ず同一である必要もない。
【０１８６】
即ち、第１及び第２延長形成部５１３ａ、５１３ｂは、目標とする磁束の方向を得ることができるように、第１及び第２コア部５１０ａ、５１０ｂに配置される。
【０１８７】
さらに、図１２ａから１２ｄでは、第１及び第２延長形成部５１３ａ、５１３ｂが第３コア部５１０ｃから分離した構造的要素であるが、代替的な実施形態では、第１及び第２延長形成部５１３ａ、５１３ｂは第３コア部５１０ｃの一体的な部分であってよい。
【０１８８】
一方、本発明によるアンテナ装置２０は、第１及び第２パッド部５２０ａ、５２０ｂを介して第１基板７００に実装されることにより、電子部品１０を構成することができる。
【０１８９】
第１基板７００は、スマートフォンのような携帯用端末の内部に実装される基板であり、上記基板には複数の能動素子や受動素子、集積回路（ＩＣ）などが実装される。しかしながら、基板上に実装される素子の種類はこれに限定されず、従って、基板はより多い、またはより少ない素子を有してよい。さらに、上記第１基板７００の一実施例として刷回路基板（ＰＣＢ）が提供されるが、これに限定されるものではなく、他の任意の適切な面が第１基板７００として提供されうる。
【０１９０】
アンテナ装置２０は、第１パッド部５２０ａが配置される第１実装面を有する第１コア部５１０ａ、第２パッド部５２０ｂが配置される第２実装面を有する第２コア部５１０ｂ及び第１コア部５１０ａと第２コア部５１０ｂの間に配置される第３コア部５１０ｃを有するコア部材５００、及び上記コア部材５００に巻線されるコイル部６００を含む。
【０１９１】
第１コア部５１０ａは上記第１実装面とは反対側の第１端面５１１ａをさらに含み、第２コア部５１０ｂは上記第２実装面とは反対側の第２端面５１１ｂを含む。
【０１９２】
上記コア部材５００は、第１及び第２端面５１１ａ、５１１ｂを有し、第１及び第２端面５１１ａ、５１１ｂを通じて磁束が出入りする。
【０１９３】
第１及び第２パッド部５２０ａ、５２０ｂは、第１基板７００の方向に向かって第１及び第２延長形成部５１３ａ、５１３ｂの一の面に延長されて形成される。
【０１９４】
これにより、第１基板７００との固着強度が向上し、アンテナ装置２０が第１基板７００に実装される場合にアンテナ装置２０がルースになるのを防止することができる。但し、図１２ａ及び図１２ｂでは第１及び第２延長形成部５１３ａ、５１３ｂが第１及び第２パッド部５２０ａ、５２０ｂの一部分の上部に配置されているが、これは単なる例示であり、第１及び第２延長形成部５１３ａ、５１３ｂは、第１及び第２パッド部５２０ａ、５２０ｂと大きさが異なることができる。
【０１９５】
上記第１及び第２パッド部５２０ａ、５２０ｂは、第１基板７００への表面実装が可能になるように互いに離隔されて位置する。このとき、アンテナ装置２０は、第１及び第２パッド部５２０ａ、５２０ｂが第１基板７００上に配置されるような半田付けによって電気的に連結される。
【０１９６】
図１２ａ及び図１２ｂを参照すると、コイル部６００ａは、第３コア部５１０ｃに巻線される。
【０１９７】
図１２ｃを参照すると、コイル部６００ｂは、第１及び第２コア部５１０ａ、５１０ｂに巻線される。また、図１２ｄを参照すると、コイル部６００ａ、６００ｂは、第１から第３コア部５１０ａ、５１０ｂ、５１０ｃにそれぞれ巻線される。但し、図１２ｃ及び図１２ｄでは、コイル部６００ｂが巻線されて上側の端面５１１ａから第３コア部５１０ｃまでわたっているが、これは単なる例であり、従って、コイル部６００ｂは別の態様で巻線されてよい。同様に、図１２ａ、図１２ｂ及び図１２ｄでは、コイル部６００ａが主に第３コア部５１０ｃの表面全体に巻線されているが、これは単なる例であり、従って、コイル部６００ａは第３コア部５１０ｃの周りに別の態様で巻線されてよい。
【０１９８】
上記コイル部６００ａ、６００ｂは、磁束の出入りによる電磁誘導によってデータを送受信する。より詳細には、コイル部６００ａ、６００ｂは、第１及び第２パッド部５２０ａ、５２０ｂを介して第１基板７００に実装される回路部と電気的に接続される。
【０１９９】
より詳細には、第１基板７００には、ＮＦＣチップ（図示せず）を含む回路部が配置される。このとき、上記コイル部６００は、第１及び第２パッド部５２０ａ、５２０ｂを介して上記回路部と電気的に接続される。
【０２００】
第１及び第２コア部５１０ａ、５１０ｂのそれぞれの端面５１１ａ、５１１ｂにおいて磁束の出入りによって形成される電磁誘導により、データを外部の電子機器と送受信する。このとき、外部の電子機器は、実施形態のアンテナ装置２０と同一の周波数帯域信号を送受信することができるアンテナを含む。
【０２０１】
コイル部６００ａ、６００ｂが巻線される形態、巻線される回数、材質及び端面の形態については上述の通りであるため省略する。
【０２０２】
一方、図１２ｃ及び図１２ｄに示されていないが、本開示の他の実施形態によるアンテナ装置はキャビティを有する第２基板２２０（図８ａ及び８ｂ参照）をさらに含み、コイル部６００ｂは上記第２基板２２０（図８ａ及び８ｂ参照）のキャビティに位置する。
【０２０３】
本発明によるアンテナ装置２０は、コア部材５００と第２基板（２２０、図８ａ参照）が互いに結合されてチップ形態の構造を有することにより、小型化することができる。
【０２０４】
図１３ａ及び図１３ｂは本発明の一実施例によるアンテナ装置におけるコイル部２００ａ、２００ｂ（図１及び図６ａ参照）の巻線位置による磁束の方向を示す図面である。この図では、磁束の分布を矢印で表している。
【０２０５】
図１３ａ及び図１３ｂを参照すると、コイル部２００ａ（図１参照）が支持部１１０（図１参照）に巻線される場合、コイル部２００ｂ（図６ａ参照）が複数の第１突出部１２０に巻線される場合に比べて二つの第１突出部１２０ａ、１２０ｂ（図１参照）の周辺に形成される磁束の強さがさらに大きいことが確認できる。
【０２０６】
図１４は本発明のさらに他の実施例による電子機器の分解斜視図である。
【０２０７】
図１、図３ａ及び図１４を参照すると、本発明のさらに他の実施例による電子機器は、携帯用端末本体４０、電子機器用カバー３０、上記電子機器用カバー３０の内側に配置されるアンテナ装置２０、及び第１基板（４００、図３ａ参照）を含む。
【０２０８】
電子機器用カバー３０は、電子機器の上部に配置される。例えば、上記電子機器用カバー３０が電子機器の外部カバーである。本発明の実施例において、例えば、電子機器用カバー３０を外部カバーとして説明しても、これに限定されない。
【０２０９】
一方、上記電子機器用カバー３０の材質の一実施例は、プラスチック（ｐｌａｓｔｉｃ）であることができるが、これに限定されない。
【０２１０】
アンテナ装置２０は、支持部１１０と、上記支持部１１０の一の面に配置される複数の第１突出部１２０と、上記一の面とは反対側の他の面に配置される複数の第２突出部１３０と、を有するコア部材１００、及び上記コア部材１００に巻線されるコイル部２００ａを含む。
【０２１１】
上記複数の第１突出部１２０は、磁束が出入りする複数の端面１２１ａ、１２１ｂを含み、磁束が出入りする場合であればその形態及び位置は限定されない。
【０２１２】
上記複数の第２突出部１３０は実装面として提供される複数の端面１３１ａ、１３１ｂを有し、上記アンテナ装置２０は上記実装面として提供される端面１３１ａ、１３１ｂに配置される第１及び第２パッド部３１０、３２０を介して上記第１基板４００に実装される。
【０２１３】
このとき、図１４に示されていないが、第１基板４００に実装されるアンテナ装置２０は、二つの第１突出部１２０ａ、１２０ｂの間に配置される第１モールディング部４１０（図４ａ）をさらに含む。
【０２１４】
また、第１基板４００に実装されるアンテナ装置２０は、支持部１１０、二つの第１突出部１２０ａ、１２０ｂ、及び二つの第２突出部１３０ａ、１３０ｂを覆うように形成される第２モールディング部４２０（図４ｂ）をさらに含む。
【０２１５】
上記第１モールディング部４１０または第２モールディング部４２０については、図４ａ及び図４ｂを参照して説明した通りであるため省略する。
【０２１６】
一方、上記第１基板４００は上記アンテナ装置２０が連結される回路部を含み、特に上記アンテナ装置２０と電気的に接続されるＮＦＣチップ（図示せず）を含む。
【０２１７】
したがって、アンテナ装置２０は、第１基板４００上に実装されて電子機器用カバー３０の内側に配置される。さらに、上記アンテナ装置２０は、例えば電子機器である携帯端末の内部カバーに形成されたグルーブ(groove)４１内に配置される。代わりに、アンテナ装置２０は、バッテリー（図示せず）に配置される。
【０２１８】
このようなアンテナ装置２０の構成のうちコイル部２００ａは、第１及び第２パッド部３１０、３２０を介して携帯端末本体４０の回路部と電気的に連結され、上記電子機器用カバー３０と電磁気的カップリングを形成することができる位置であれば特に限定されない。
【０２１９】
但し、一例として、アンテナ装置２０がＮＦＣを行うアンテナとして適用される場合であれば、上記電子機器用カバー３０の一部を通じて電磁気波が出入りする位置に配置される。
【０２２０】
以上、本発明の実施例について詳細に説明したが、本発明の権利範囲はこれに限定されず、特許請求の範囲に記載された本発明の技術的思想から外れない範囲内で多様な修正及び変形が可能であるということは、当技術分野の通常の知識を有するものには明らかである。
【符号の説明】
【０２２１】
１０  電子部品
２０  アンテナ装置
３０  電子機器用カバー
４０  携帯用端末本体
１００、５００  コア部材
１１０  支持部
１２０  複数の第１突出部
１３０  複数の第２突出部
５１０ａから５１０ｃ  第１コア部から第３コア部
２００、６００  コイル部
４００、７００  第１基板
２２０  第２基板
３１０、５２０ａ  第１パッド部
３２０、５２０ｂ  第２パッド部
５１３ａ、５１３ｂ  第１及び第２延長形成部
【図１】
2015208005.tif 000003
【図２】
2015208005.tif 000004
【図３ａ】
2015208005.tif 000005
【図３ｂ】
2015208005.tif 000006
【図４ａ】
2015208005.tif 000007
【図４ｂ】
2015208005.tif 000008
【図５】
2015208005.tif 000009
【図６ａ】
2015208005.tif 000010
【図６ｂ】
2015208005.tif 000011
【図７ａ】
2015208005.tif 000012
【図７ｂ】
2015208005.tif 000013
【図７ｃ】
2015208005.tif 000014
【図８ａ】
2015208005.tif 000015
【図８ｂ】
2015208005.tif 000016
【図９】
2015208005.tif 000017
【図１０ａ】
2015208005.tif 000018
【図１０ｂ】
2015208005.tif 000019
【図１１】
2015208005.tif 000020
【図１２ａ】
2015208005.tif 000021
【図１２ｂ】
2015208005.tif 000022
【図１２ｃ】
2015208005.tif 000023
【図１２ｄ】
2015208005.tif 000024
【図１３ａ】
2015208005.tif 000025
【図１３ｂ】
2015208005.tif 000026
【図１４】
2015208005.tif 000027